(57)【要約】【課題】  グリップ力を向上した保護キャップおよびナットを提供する。【解決手段】  軸体の端部に嵌め込む嵌込孔２を備えた保護キャップであって、保護キャップの主体を構成するキャップ体１の一面に嵌込孔２が円形状に開口しており、嵌込孔２の軸心３の軸周りの外側周面６は指２０で把持する把持用側面７がその稜線８を隣接して複数個連続した構成であり、稜線８を嵌め込み方向Ａに向かう程軸心３を中心に時計回りにずれたものとした。  また、ボルトに捻じ込む雌ねじ１２を備えたナットであって、ナットの主体を構成するナット体１１の一面に雌ねじ１２が開口しており、雌ねじ１２の軸周りの外側周面１６は指２０で把持する把持用側面１７がその稜線１８を隣接して複数個連続した構成であり、稜線１８を締め付ける際の螺進方向Ｃに向かう程回転方向Ｄにずれたものとした。【選択図】        図１
2010101471.tif 000002
【特許請求の範囲】
【請求項１】
軸体の端部に嵌め込む嵌込孔を備えた保護キャップであって、上記保護キャップの主体を構成するキャップ体の一面に円形状に開口して上記嵌込孔が形成されており、上記嵌込孔の軸心の軸周りに位置する上記キャップ体の外側周面が軸心に直交した断面形状を多角形状とし、且つ上記外側周面が指で把持する把持用側面を上記把持用側面の稜線を隣接して複数個連続させた構成であり、上記稜線が嵌め込み方向に向かう程上記軸心を中心に嵌め込み方向に沿って見て時計回りにずれたものであることを特徴とする保護キャップ。
【請求項２】
ボルトに捻じ込む雌ねじを備えたナットであって、上記ナットの主体を構成するナット体の一面に開口して上記雌ねじが形成されており、上記雌ねじの軸心の軸周りに位置する上記ナット体の外側周面が軸心に直交した断面形状を多角形状とし、且つ指で把持する把持用側面を上記把持用側面の稜線を隣接して複数個連続させた構成であり、上記稜線が捻じ込み締め付ける際の上記軸心に平行する螺進方向に向かう程捻じ込み締め付ける際の回転方向にずれたものであることを特徴とするナット。
【発明の詳細な説明】
【技術分野】
【０００１】
本発明は、保護キャップおよびナット、殊に、指で把持して着脱を行う保護キャップおよびナットに関するものである。
【背景技術】
【０００２】
従来から、特許文献１のような軸体の端部に嵌め込み端部への水等の異物の浸入や付着を防止する保護キャップは、軸体の端部に無理嵌めして取り付けることで不用意に端部から外れることを防止している。そして、その着脱動作は、指で保護キャップの側面を把持して、回転させながら押すあるいは回転させながら引くといった回転を伴うものである。
【０００３】
そのため、着脱動作における回転時に、把持した指の先端が回転方向にずれて側面から外れ、十分なグリップ力が得られないものという問題があった。
【０００４】
そこで、保護キャップの側面に微細な凹凸を設けて滑り難くし、把持した指の回転時のずれを防止してグリップ力を向上させたものがある。
【０００５】
しかしながら、凹凸により側面に汚れが溜り易く、付着した汚れによって凹凸の滑り止め効果が低下してしまい十分なグリップ力を得られず、保護キャップの取り外しが困難になるという問題があった。
【０００６】
更に、保護キャップは無理嵌めするため、弾性を有する材料である樹脂材料を好適に使用しており、樹脂材料の材質によっては、長期劣化により凹凸が欠損し、凹凸によるグリップ力の向上効果が得られなくなり、取り外す際に十分なグリップ力が得られないものもあった。
【０００７】
また、従来から、指で把持して締め付けを行うナットは、回転させて捻じ込むため、締め付け時に把持した指の先端が回転方向にずれて側面から外れ、十分なグリップ力を得られないという問題があった。そして、十分なグリップ力が得られないため、強固に締め付けを行えず、悪戯等で容易に緩められたり、外されたりする恐れもあった。
【０００８】
そこで、側面に滑り止め用の凹凸を設けたものもあるが、強固な締め付けを行うために側面を強く把持すると凹凸により把持した指に痛みを生じ強固に締め付けを行えず、且つナットの取り外しも容易にするものであった。
【特許文献１】特開２００８−０２５６０６号公報
【発明の開示】
【発明が解決しようとする課題】
【０００９】
そこで、本発明の保護キャップは、上記の問題に鑑みて発明したものであり、把持する側面に汚れが溜まり難く、且つ把持した指のずれによるグリップ力の低下を抑制して、着脱時のグリップ力を向上したものを提供することを課題とした。
【００１０】
また、本発明のナットは、上記の問題に鑑みて発明したものであり、側面を強く把持しても把持した指に痛みを生じること無く、強固な締め付けを行えるグリップ力を向上したものを提供することを課題とした。
【課題を解決するための手段】
【００１１】
上記課題を解決するために、本発明に係る保護キャップは、軸体の端部に嵌め込む嵌込孔２を備えた保護キャップであって、上記保護キャップの主体を構成するキャップ体１の一面に円形状に開口して上記嵌込孔２が形成されており、上記嵌込孔２の軸心３の軸周りに位置する上記キャップ体１の外側周面６が軸心３に直交した断面形状を多角形状とし、且つ上記外側周面６が指２０で把持する把持用側面７を上記把持用側面７の稜線８を隣接して複数個連続させた構成であり、上記稜線８が嵌め込み方向Ａに向かう程上記軸心３を中心に嵌め込み方向Ａに沿って見て時計回りにずれたものとしたことを特徴とするものである。
【００１２】
このような構成をしたことで、上記稜線８を構成する上記把持用側面７が嵌め込み方向Ａに向かう程、軸心３上記軸心３を中心に嵌め込み方向Ａに沿って見て時計回りに傾斜した形状となる。そのため、上記軸体に回転させながら無理嵌めする際に、保護キャップの傾斜と同じＢ方向に回転させて無理嵌めすれば、把持した指２０の先端がＢ方向にずれても、ずれた指２０の先端が上記把持用側面７から外れることを防止できる
また、上記課題を解決するために、本発明に係るナットは、ボルトに捻じ込む雌ねじ１２を備えたナットであって、上記ナットの主体を構成するナット体１１の一面に開口して上記雌ねじ１２が形成されており、上記雌ねじ１２の軸心１３の軸周りに位置する上記ナット体１１の外側周面１６が軸心１３に直交した断面形状を多角形状とし、且つ指２０で把持する把持用側面１７を上記把持用側面１７の稜線１８を隣接して複数個連続させた構成であり、上記稜線１８が捻じ込み締め付ける際の上記軸心１３に平行する螺進方向Ｃに向かう程捻じ込み締め付ける際の回転方向Ｄにずれたものとしたことを特徴とするものである。
【００１３】
このような構成にすることで、上記稜線１８を構成する上記把持用側面１７が捻じ込み締め付ける際の上記軸心１３に平行した螺進方向Ｃに向かう程捻じ込み締め付ける際の回転方向Ｄに傾斜した形状となる。そのため、上記ボルトにナットを捻じ込む際に、把持した指２０の先端が回転方向Ｄにずれても、ずれた指２０の先端が上記把持用側面１７から外れることを防止できる。
【発明の効果】
【００１４】
上記のように、本発明の保護キャップは、ずれた指の先端の把持用側面からの離脱によるグリップ力の低下を防止したことで、取り付け時のグリップ力を向上したものとなる。そして、把持用側面に凹凸が無いため、把持用側面を容易に掃除できて汚れが溜まり難くでき、且つ凹凸の欠損等の形状損失によるブリップ力の低下を防止でき、取り外し時のグリップ力も向上したものとなる。
【００１５】
また、上記のように、本発明のナットは、ずれた指の先端の把持用側面からの離脱によるグリップ力の低下を防止したことで、締め付け時のグリップ力を向上したものとなる。そして、上記把持用側面に凹凸が無いため、上記把持用側面を強く把持しても指に痛みを生じることを防止でき、向上したグリップ力を生かした強固な締め付けを行えるものとなる。更に、締め付け時と逆方向に回転させると、回転によりずれた指の先端が容易に把持用側面から外れるため、容易に締め付けを解除できない悪戯等による異常を防止したものとなる。
【発明を実施するための最良の形態】
【００１６】
以下、図面に基づいて本発明の実施形態について説明する。
【００１７】
本発明の保護キャップは、図１および図２に示すように、保護キャップの主体を構成するキャップ体１を嵌め込む際の嵌め込み方向Ａに沿って貫通して円形状に開口した嵌込孔２を備えたものであり、上記嵌込孔２を、例えば、配水湯管の流量調節弁の調節軸等、軸体の端部に嵌めて、上記軸体の端部を覆い、火傷等の怪我や軸体の破損を防止するものである。
【００１８】
そして、上記キャップ体１は、嵌め込み方向Ａを向いた下面４と、下面４の反対に位置し下面４より寸法の小さい上面５と、嵌込孔２の軸周りに位置した外側周面６と、で構成されている。更に、下面４および上面５には、夫々の面の中心を嵌込孔２の軸心３が通る位置に嵌込孔２が開口している。
【００１９】
また、上記外側周面６は軸心３に直交した断面形状を六角形状とし、指２０で把持する把持用側面７が把持用側面７の稜線８を隣接して六つ連続した構成である。
【００２０】
そして、図２に示すように、下面４が上面５に対して軸心３を中心に軸周りにＢ方向にずれている。上記ずれにより、外側周面６が軸心３に沿って軸周りに捻った構成となる。
【００２１】
詳しくは、図２に示すように、外側周面６を構成する把持用側面７の稜線８が、嵌め込み方向Ａに向かう程、上記嵌め込み方向Ａである上面５から下面４に向かう向きで見て（以下、上方視と記載）軸心３を中心に時計回りに（Ｂ方向に向かって）ずれており、把持用側面７が嵌め込み方向Ａに向かう程上方視軸心３を中心に時計回りに（Ｂ方向に向かって）ずれた形状となっているものである。
【００２２】
そして、図３に示すように、把持用側面７を把持して保護キャップをＢ方向に回転させた際に、把持した指２０の先端がＢ方向にずれても、把持用側面７がＢ方向にずれているため、指２０の先端が把持用側面７から外れることを防止できる。
【００２３】
したがって、取り付け時に、無理嵌めを行う際にＢ方向に向かって回転させながら嵌め込めば、把持した指２０の先端がＢ方向にずれても把持用側面７から外れないため、グリップ力の低下が生じずにグリップ力を維持でき、指２０で把持して容易に取り付けを行えるグリップ力の向上した保護キャップとなる。もちろん、Ｂ方向に回転させながら取り外せば、指２０が把持用側面７から外れず、十分なグリップ力が得られる保護キャップである。
【００２４】
また、把持用側面７に凹凸が無くフラット形状であるため、経年劣化に伴う形状破損によるグリップ力の低下が凹凸等に比べ少なく、且つ把持用側面７の清掃を容易に行え、汚れが溜まり難く、経年に伴うグリップ力の低下を抑制したものである。したがって、軸体の端部の保護に長期使用した保護キャップであっても、Ｂ方向に回転させながら容易に取り外すことができるものである。
【００２５】
また、図２の下面４と上面５の夫々の外接円が示すように、下面４の寸法を上面５の寸法より大きくしてあるため、稜線８がＢ方向へのずれだけでなく、外下方に向けて傾斜しており、把持用側面７の面積が嵌め込み方向に向かう程広くなっている。そのため、把持した指２０の先端がより把持用側面７から外れ難くなっている。
【００２６】
なお、稜線８の傾斜を上方視反時計回り（Ｂ方向と逆向き）とし、上記着脱時の回転方向を上方視反時計回り（Ｂ方向と逆向き）に回転させた際のグリップ力を向上した保護キャップとしてもよい。ましてや、下面４と上面５が同じ寸法のものや、下面４や上面５に多角形状でない側面を延設したものでもよく、本願発明の作用効果が得られるものであれば、形状等適宜変更可能である。
【００２７】
また、図４および図５に示すように、本発明のナットは、ボルトに捻じ込む雌ねじ１２を備えたものであり、ボルトに雌ねじ１２を捻じ込むことで、ナットが螺進方向Ｃに変位して締め付けを行うものである。そして、上記雌ねじ１２は、上記ナットの主体を構成するナット体１１の下端面１４および上端面１５に開口して形成された貫通孔である。
【００２８】
また、上記雌ねじ１２の軸心１３の軸周りに位置するナット体１１の外側周面１６が軸心１３に直交した断面形状を六角形状とし、且つ上記外側周面１６は、指２０で把持する把持用側面１７が上記把持用側面１７の稜線１８を隣接して六つ連続した構成となっている。
【００２９】
そして、上記稜線１８は捻じ込み締め付ける際の雌ねじ１２の軸心１３に平行する螺進方向Ｃに向かう程、捻じ込み締め付ける際にナットを回転させる回転方向Ｄにずれた構成となっている。
【００３０】
更に、上記稜線１８が軸心１３に対して締め付け時の回転方向Ｄに傾斜した構成となり、上記稜線１８を有する把持用側面１７も締め付け時の回転方向Ｄに傾斜した形状のものとなる。そのため、把持用側面１７を指２０で把持してナットをボルトに捻じ込んだ際に、把持した指２０の先端が回転方向Ｄにずれても把持用側面１７から外れ難くなる。
【００３１】
したがって、捻じ込み締め付ける際に、把持した指２０の先端が回転方向Ｄにずれても把持用側面１７から外れずにグリップ力が維持されるため、締め付け時のグリップ力を向上することができ、確実な締め付けを行えるナットとなる。
【００３２】
そして、把持用側面１７が凹凸等の無いフラット形状であり、把持用側面１７を強く把持しても痛みが生じないため、向上したグリップ力を生かした強固な締め付けを行えるナットとなる。
【００３３】
なお、雌ねじ１２が貫通孔でない下端面１４にのみ開口したものや、上端面１５に稜線１８が傾斜していない従来の側面を延設して工具による取り外しを行えるものとしてもよく、本願発明の作用効果が得られるものであれば、形状等適宜変更可能である。
【図面の簡単な説明】
【００３４】
【図１】本発明の保護キャップの正面図である。
【図２】同上の保護キャップを上方側から見下ろした平面図である。
【図３】同上の保護キャップの把持用側面を指で把持した状態であり、（ａ）が初期状態であり、（ｂ）が回転時にＢ方向へ指がすれた状態である。
【図４】本発明のナットの正面図である。
【図５】同上のナットを上方側から見下ろした平面図である。
【符号の説明】
【００３５】
１  キャップ体
２  嵌込孔
３  軸心
４  下面
５  上面
６  外側周面
７  把持用側面
８  稜線
１１  ナット体
１２  雌ねじ
１３  軸心
１４  下端面
１５  上端面
１６  外側周面
１７  把持用側面
１８  稜線
２０  指
【図１】
2010101471.tif 000003
【図２】
2010101471.tif 000004
【図３】
2010101471.tif 000005
【図４】
2010101471.tif 000006
【図５】
2010101471.tif 000007